(57)【要約】【課題】簡易な操作で確実に電子機器の外部入力切替を行うことができる外部入力切替システムを提供する。【解決手段】外部入力端子６１を介して複数の外部装置Ｅ…を接続するテレビジョン受像機６の外部入力切替を行う外部入力切替システム１において、テレビジョン受像機６を遠隔操作するためのリモートコントローラ２と、複数の外部装置Ｅ…のそれぞれに取り付けられた複数の受光装置４…と、を備え、リモートコントローラ２を、指向性があるレーザ光を発光するよう構成し、受光装置４を、リモートコントローラ２により発光されたレーザ光を受光すると、当該受光装置４に対応する外部入力端子６１を識別するための音情報を出力するよう構成し、テレビジョン受像機６を、受光装置４により出力された音情報を取得するすると、複数の外部入力端子６１…のうちの、マイクにより取得された音情報によって識別される外部入力端子に切り替えるよう構成した。【選択図】図１
2008271229.tif 000002
【特許請求の範囲】
【請求項１】
複数の外部装置を接続する電子機器の外部入力切替を行う外部入力切替システムにおいて、
前記電子機器を遠隔操作するためのリモートコントローラと、
前記複数の外部装置のそれぞれに取り付けられた複数の受光装置と、を備え、
前記電子機器は、前記複数の外部装置のそれぞれを接続する複数の外部入力手段を備え、
前記受光装置は、前記外部入力手段に対応付けられており、当該受光装置に対応する外部入力手段に接続された外部装置に取り付けられ、
前記リモートコントローラは、
指向性がある光を発光する発光手段と、
ユーザが、前記発光手段に前記光を発光させる際に操作するための操作手段と、を備え、
前記受光装置は、
前記発光手段により発光された光を受光する受光手段と、
前記発光手段により発光された光が前記受光手段により受光された場合に、当該受光装置に対応する前記外部入力手段を識別するための識別情報を出力する出力手段と、を備え、
前記電子機器は、
前記出力手段により出力された識別情報を取得する取得手段と、
前記複数の外部入力手段のうちの、前記取得手段により取得された識別情報によって識別される外部入力手段に切り替える切替手段と、
を備えることを特徴とする外部入力切替システム。
【請求項２】
請求項１に記載の外部入力切替システムにおいて、
前記発光手段により発光される光は、当該光の照射位置が可視されるようになっていることを特徴とする外部入力切替システム。
【請求項３】
請求項１又は２に記載の外部入力切替システムにおいて、
前記出力手段は、前記識別情報として、前記外部入力手段を識別するための音情報を出力することを特徴とする外部入力切替システム。
【請求項４】
請求項１〜３の何れか一項に記載の外部入力切替システムにおいて、
前記受光装置は、
前記発光手段により発光された光が前記受光手段により受光された時間が、予め設定された所定時間を上回ったか否かを判別する判別手段を備え、
前記出力手段は、前記判別手段によって、前記発光手段により発光された光が前記受光手段により受光された時間が、予め設定された所定時間を上回ったと判別された場合に、前記識別情報を出力することを特徴とする外部入力切替システム。
【請求項５】
複数の外部装置を接続するテレビジョン受像機の外部入力切替を行う外部入力切替システムにおいて、
前記テレビジョン受像機を遠隔操作するためのリモートコントローラと、
前記複数の外部装置のそれぞれに取り付けられた複数の受光装置と、を備え、
前記テレビジョン受像機は、前記複数の外部装置のそれぞれを接続する複数の外部入力手段を備え、
前記受光装置は、前記外部入力手段に対応付けられており、当該受光装置に対応する外部入力手段に接続された外部装置に取り付けられ、
前記リモートコントローラは、
指向性があるとともに、照射位置が可視されるようになっている光を発光する発光手段と、
ユーザが、前記発光手段に前記光を発光させる際に操作するための操作手段と、を備え、
前記受光装置は、
前記発光手段により発光された光を受光する受光手段と、
前記発光手段により発光された光が前記受光手段により受光された時間が、予め設定された所定時間を上回ったか否かを判別する判別手段と、
前記判別手段によって、前記発光手段により発光された光が前記受光手段により受光された時間が、予め設定された所定時間を上回ったと判別された場合に、当該受光装置に対応する前記外部入力手段を識別するための音情報を出力する出力手段と、を備え、
前記テレビジョン受像機は、
前記出力手段により出力された音情報を取得する取得手段と、
前記複数の外部入力手段のうちの、前記取得手段により取得された音情報によって識別される外部入力手段に切り替える切替手段と、
を備えることを特徴とする外部入力切替システム。
【発明の詳細な説明】
【技術分野】
【０００１】
本発明は、外部入力切替システムに関する。
【背景技術】
【０００２】
従来、テレビジョン受像機は、例えば、ビデオデッキ、ＨＤＤ（Hard Disk Drive）レコーダ、ＳＴＢ（Set Top Box）、ゲーム機器等の複数の外部装置を接続できるようになっている。
【０００３】
このようなテレビジョン受像機において、例えば、テレビジョン受像機と、当該テレビジョン受像機に接続された多種の外部装置と、を遠隔操作するためのマルチリモコンであって、遠隔操作の対象となる外部装置名を表示する表示画面と、表示画面に外部装置名を順次切り替え表示させるための操作ボタンと、が設けられたマルチリモコンを備えるテレビジョン受像機が提案されている（例えば、特許文献１参照）。
【０００４】
また、このようなテレビジョン受像機において、例えば、外部入力端子に接続された外部装置のリモコンからの遠隔操作信号を受信すると、そのリモコンに対応する外部装置を切り替え先として外部入力を切り替えるテレビジョン受像機が提案されている（例えば、特許文献２及び３参照）。
【特許文献１】特開２００３−７８７７９号公報
【特許文献２】特開２００４−４８７０６号公報
【特許文献３】特開２００５−７３１２７号公報
【発明の開示】
【発明が解決しようとする課題】
【０００５】
しかしながら、特許文献１のように、テレビジョン受像機の外部入力を切り替える際に、リモコンの表示画面に外部装置名を順次切り替え表示させるようにすると、所望の外部装置名が表示されるまでリモコンのボタンを押し続けなければならず、使い勝手が悪いという問題がある。
【０００６】
また、特許文献２及び３のように、外部装置のリモコンが操作された際にテレビジョン受像機の外部入力を切り替えるようにすると、外部装置のリモコンで、そのリモコンに対応する外部装置のみを操作したい場合、すなわち、テレビジョン受像機の外部入力を切り替えることなく、そのリモコンに対応する外部装置のみを操作したい場合も、テレビジョン受像機の外部入力が切り替わってしまい、使い勝手が悪いという問題がある。
【０００７】
本発明の課題は、簡易な操作で確実に電子機器の外部入力切替を行うことができる外部入力切替システムを提供することにある。
【課題を解決するための手段】
【０００８】
上記課題を解決するために、請求項１に記載の発明は、
複数の外部装置を接続する電子機器の外部入力切替を行う外部入力切替システムにおいて、
前記電子機器を遠隔操作するためのリモートコントローラと、
前記複数の外部装置のそれぞれに取り付けられた複数の受光装置と、を備え、
前記電子機器は、前記複数の外部装置のそれぞれを接続する複数の外部入力手段を備え、
前記受光装置は、前記外部入力手段に対応付けられており、当該受光装置に対応する外部入力手段に接続された外部装置に取り付けられ、
前記リモートコントローラは、
指向性がある光を発光する発光手段と、
ユーザが、前記発光手段に前記光を発光させる際に操作するための操作手段と、を備え、
前記受光装置は、
前記発光手段により発光された光を受光する受光手段と、
前記発光手段により発光された光が前記受光手段により受光された場合に、当該受光装置に対応する前記外部入力手段を識別するための識別情報を出力する出力手段と、を備え、
前記電子機器は、
前記出力手段により出力された識別情報を取得する取得手段と、
前記複数の外部入力手段のうちの、前記取得手段により取得された識別情報によって識別される外部入力手段に切り替える切替手段と、
を備えることを特徴とする。
【０００９】
請求項２に記載の発明は、
請求項１に記載の外部入力切替システムにおいて、
前記発光手段により発光される光は、当該光の照射位置が可視されるようになっていることを特徴とする。
【００１０】
請求項３に記載の発明は、
請求項１又は２に記載の外部入力切替システムにおいて、
前記出力手段は、前記識別情報として、前記外部入力手段を識別するための音情報を出力することを特徴とする。
【００１１】
請求項４に記載の発明は、
請求項１〜３の何れか一項に記載の外部入力切替システムにおいて、
前記受光装置は、
前記発光手段により発光された光が前記受光手段により受光された時間が、予め設定された所定時間を上回ったか否かを判別する判別手段を備え、
前記出力手段は、前記判別手段によって、前記発光手段により発光された光が前記受光手段により受光された時間が、予め設定された所定時間を上回ったと判別された場合に、前記識別情報を出力することを特徴とする。
【００１２】
請求項５に記載の発明は、
複数の外部装置を接続するテレビジョン受像機の外部入力切替を行う外部入力切替システムにおいて、
前記テレビジョン受像機を遠隔操作するためのリモートコントローラと、
前記複数の外部装置のそれぞれに取り付けられた複数の受光装置と、を備え、
前記テレビジョン受像機は、前記複数の外部装置のそれぞれを接続する複数の外部入力手段を備え、
前記受光装置は、前記外部入力手段に対応付けられており、当該受光装置に対応する外部入力手段に接続された外部装置に取り付けられ、
前記リモートコントローラは、
指向性があるとともに、照射位置が可視されるようになっている光を発光する発光手段と、
ユーザが、前記発光手段に前記光を発光させる際に操作するための操作手段と、を備え、
前記受光装置は、
前記発光手段により発光された光を受光する受光手段と、
前記発光手段により発光された光が前記受光手段により受光された時間が、予め設定された所定時間を上回ったか否かを判別する判別手段と、
前記判別手段によって、前記発光手段により発光された光が前記受光手段により受光された時間が、予め設定された所定時間を上回ったと判別された場合に、当該受光装置に対応する前記外部入力手段を識別するための音情報を出力する出力手段と、を備え、
前記テレビジョン受像機は、
前記出力手段により出力された音情報を取得する取得手段と、
前記複数の外部入力手段のうちの、前記取得手段により取得された音情報によって識別される外部入力手段に切り替える切替手段と、
を備えることを特徴とする。
【発明の効果】
【００１３】
本発明によれば、複数の外部装置を接続する電子機器の外部入力切替を行う外部入力切替システムにおいて、電子機器を遠隔操作するためのリモートコントローラと、複数の外部装置のそれぞれに取り付けられた複数の受光装置と、を備えている。そして、電子機器は、複数の外部装置のそれぞれを接続する複数の外部入力手段を備え、受光装置は、外部入力手段に対応付けられており、当該受光装置に対応する外部入力手段に接続された外部装置に取り付けられ、リモートコントローラは、指向性がある光を発光する発光手段と、ユーザが、発光手段に光を発光させる際に操作するための操作手段と、を備え、受光装置は、発光手段により発光された光を受光する受光手段と、発光手段により発光された光が受光手段により受光された場合に、当該受光装置に対応する外部入力手段を識別するための識別情報を出力する出力手段と、を備え、電子機器は、出力手段により出力された識別情報を取得する取得手段と、複数の外部入力手段のうちの、取得手段により取得された識別情報によって識別される外部入力手段に切り替える切替手段と、を備えている。
したがって、ユーザが所望の外部装置に取り付けられた受光装置に対してリモートコントローラを向けて操作手段を操作すると、電子機器は、当該所望の外部装置を切り替え先として外部入力を切り替えるため、簡易な操作で確実に電子機器の外部入力切替を行うことができる。
【発明を実施するための最良の形態】
【００１４】
以下、図を参照して、本発明を実施するための最良の形態を詳細に説明する。なお、発明の範囲は、図示例に限定されない。
本実施の形態では、電子機器として、テレビジョン受像機を例示して説明することとする。
【００１５】
＜外部入力切替システムの構成＞
外部入力切替システム１は、例えば、複数の外部装置Ｅ…を接続するテレビジョン受像機６の外部入力切替を行うシステムである。
具体的には、外部入力切替システム１は、例えば、図１に示すように、テレビジョン受像機６を遠隔操作するためのテレビジョン受像機６用のリモートコントローラ２と、複数の外部装置Ｅ…のそれぞれに取り付けられた複数の受光装置４…と、複数の外部入力端子６１…を介して複数の外部装置Ｅ…を接続するテレビジョン受像機６と、などを備えて構成される。
【００１６】
ここで、例えば、図１に示すように、複数の外部装置Ｅ…は、第１外部装置Ｅａ〜第３外部装置Ｅｃであり、複数の受光装置４…は、第１受光装置４ａ〜第３受光装置４ｃであり、複数の外部入力端子６１…は、第１外部入力端子６１ａ〜第３外部入力端子６１ｃである。
【００１７】
受光装置４は、予め外部入力端子６１に対応付けられており、当該受光装置４に対応する外部入力端子６１に接続された外部装置Ｅに取り付けられている。
すなわち、例えば、第１受光装置４ａは、第１外部入力端子６１ａに対応付けられており、第１外部入力端子６１ａに接続された外部装置Ｅ（第１外部装置Ｅａ）に取り付けられている。
また、例えば、第２受光装置４ｂは、第２外部入力端子６１ｂに対応付けられており、第２外部入力端子６１ｂに接続された外部装置Ｅ（第２外部装置Ｅｂ）に取り付けられている。
また、例えば、第３受光装置４ｃは、第３外部入力端子６１ｃに対応付けられており、第３外部入力端子６１ｃに接続された外部装置Ｅ（第３外部装置Ｅｃ）に取り付けられている。
【００１８】
外部装置Ｅは、例えば、テレビジョン受像機６に、映像データ及び／又は音声データからなる外部入力情報を入力することができる装置であれば任意であり、具体的には、例えば、ビデオレコーダ、ＨＤＤ（Hard Disk Drive）レコーダ、ＤＶＤ（Digital Versatile Disk）レコーダ、ＳＴＢ（Set Top Box）、オーディオ装置、ゲーム機器などである。
【００１９】
なお、テレビジョン受像機６が備える外部入力端子６１の個数は、３つに限ることはなく、複数であれば任意であり、受光装置４の個数は、３つに限ることはなく、テレビジョン受像機６が備える複数の外部入力端子６１…のそれぞれに対応付けられているのであれば任意である。
また、テレビジョン受像機６に接続される外部装置Ｅの個数は、３つに限ることはなく、任意である。
また、テレビジョン受像機６に接続される外部装置Ｅの個数と、テレビジョン受像機６が備える外部入力端子６１の個数と、は同一である必要はなく、外部装置Ｅを、外部入力端子６１を介してテレビジョン受像機６に接続できるのであれば任意である。
【００２０】
［リモートコントローラの構成］
リモートコントローラ２は、例えば、図２に示すように、発光用操作部２１と、発光素子制御回路２２と、発光素子２３と、遠隔操作用操作部２４と、リモコンコード記憶部２５と、リモコンコード送信制御部２６と、リモコンコード送信部２７と、などを備えて構成される。
【００２１】
発光用操作部２１は、例えば、ユーザにより操作されると、当該操作信号を発光素子制御回路２２に出力する。
具体的には、発光用操作部２１は、例えば、リモートコントローラ２の外面に設けられた「外部入力切替ボタン」などから構成され、例えば、操作手段として、ユーザが、発光素子２３にレーザ光を発光させる際に操作される。
【００２２】
発光制御回路２２は、例えば、発光用操作部２１から操作信号が入力されると、発光素子２３に制御信号を出力して、レーザ光を発光させる。
【００２３】
発光素子２３は、例えば、レーザダイオードなどから構成され、例えば、発光素子制御回路２２から入力される制御信号に従って、発光手段として、レーザ光を発光する。
発光素子２３により発光されたレーザ光は、例えば、レンズ（図示省略）を介して、リモートコントローラ２の外部に出力されるようになっている。
【００２４】
発光素子２３により発光されるレーザ光は、例えば、いわゆるレーザポインタから発光されるレーザ光と同じように、指向性があるとともに、照射位置が可視されるようになっている。すなわち、例えば、ユーザが、所望の外部装置Ｅに取り付けられた受光装置４にリモートコントローラ２を向けて発光用操作部２１を操作すると、レーザ光は、当該受光装置４に向かって進行して当該受光装置４を照射し、そして、当該照射位置を所定の色（例えば、赤色）に光らせるようになっている。
また、発光素子２３により発光されるレーザ光は、照明装置等から発光される光と識別可能となるように、例えば、所定の周波数（例えば、１ｋＨｚ）で点滅している。
【００２５】
遠隔操作用操作部２４は、例えば、リモートコントローラ２の外面に設けられたテレビジョン受像機６を遠隔操作するための各種操作ボタンなどから構成され、ユーザにより操作されると、当該操作信号をリモコンコード送信制御部２６に出力する。
【００２６】
リモコンコード記憶部２５は、例えば、テレビジョン受像機６を遠隔操作するためのリモコンコードと、遠隔操作用操作部２４から出力される操作信号と、を対応付けて記憶している。
【００２７】
リモコンコード送信制御部２６は、例えば、リモコンコード送信部２７に制御信号を出力して、ユーザによる遠隔操作用操作部２４の操作により指定されたリモコンコードを送信させる。
具体的には、リモコンコード送信制御部２６は、例えば、遠隔操作用操作部２４から操作信号が入力されると、当該操作信号に対応するリモコンコードをリモコンコード記憶部２５から取得して、リモコンコード送信部２７に当該取得したリモコンコードを送信させる。
【００２８】
リモコンコード送信部２７は、例えば、リモコンコード送信制御部２６から入力される制御信号に従って、ユーザによる遠隔操作用操作部２４の操作により指定されたリモコンコードを送信する。
【００２９】
［受光装置の構成］
受光装置４は、例えば、受光素子４１と、受光判別回路４２と、受光時間判別回路４３と、ブザー制御回路４４と、ブザー４５と、などを備えて構成される。
【００３０】
受光素子４１は、例えば、フォトダイオードなどから構成され、受光した光を電気信号に変換して、受光判別回路４２に出力する。
【００３１】
受光判別回路４２は、例えば、受光素子４１により受光された光が、リモートコントローラ２の発光素子２３により発光されたレーザ光であるか否かを判別する。
具体的には、受光判別回路４２は、例えば、バンドパスフィルタなどから構成され、例えば、受光素子４１から入力される電気信号が、発光素子２３により発光されるレーザ光の周波数（例えば、１ｋＨｚ）を有する電気信号である場合に、受光時間判別回路４３に電気信号を出力する。
【００３２】
ここで、発光素子２３により発光されたレーザ光を受光する受光手段は、例えば、受光素子４１と、受光判別回路４２と、などにより構成される。
【００３３】
受光時間判別回路４３は、例えば、判別手段として、発光素子２３により発光されたレーザ光が受光素子４１により受光された時間が、予め設定された所定時間を上回ったか否かを判別する。
具体的には、受光時間判別回路４３は、例えば、積分回路などから構成され、例えば、受光判別回路４３から電気信号が入力された際における入力開始から入力終了までの時間が、予め設定された所定時間（例えば、１秒）を上回った場合に、ブザー制御回路４４に電気信号を出力する。
【００３４】
ブザー制御回路４４は、例えば、受光時間判定回路４４から電気信号が入力された場合に、すなわち、発光素子２３により発光されたレーザ光が受光素子４１により受光されて、受光時間判別回路４３によって、発光素子２３により発光されたレーザ光が受光素子４１により受光された時間が、予め設定された所定時間を上回ったと判別された場合に、ブザー４５に制御信号を入力して、当該ブザー制御回路４４を備える受光装置４に対応する外部入力端子６１を識別するための識別情報としての音情報を出力させる。
【００３５】
ブザー４５は、例えば、ブザー制御回路４４から入力される制御信号に従って、出力手段として、当該ブザー４５を備える受光装置４に対応する外部入力端子６１を識別するための音情報を出力する。
すなわち、例えば、第１受光装置４ａのブザー４５からは、第１受光装置４ａに対応する外部入力端子６１（第１外部入力端子６１ａ）を識別するための音情報が出力される。
また、例えば、第２受光装置４ｂのブザー４５からは、第２受光装置４ｂに対応する外部入力端子６１（第２外部入力端子６１ｂ）を識別するための音情報が出力される。
また、例えば、第３受光装置４ｃのブザー４５からは、第３受光装置４ｃに対応する外部入力端子６１（第３外部入力端子６１ｃ）を識別するための音情報が出力される。
【００３６】
［テレビジョン受像機の構成］
テレビジョン受像機６は、例えば、複数の外部入力端子６１…と、切替部６２と、アンテナ６３１を有するチューナ６３と、信号処理部６４と、映像出力部６５１及び音声出力部６５２を有する出力部６５と、マイク６６と、リモコンコード受信部６７と、制御部６８と、などを備えて構成される。
【００３７】
外部入力端子６１は、例えば、外部入力手段として、外部装置Ｅを接続し、当該接続された外部装置Ｅから入力される外部入力情報を切替部６２に出力する。
【００３８】
切替部６２は、制御部６８から入力される制御信号に従って、例えば、切替手段として、複数の外部入力端子６１…のうちの、マイク６６により取得された音情報によって識別される外部入力端子６１に切り替える。
【００３９】
チューナ６３は、制御部６８から入力される制御信号に従って、例えば、アンテナ６３１により受信されたテレビジョン放送波から、ユーザ所望の番組のチャンネルに対応する周波数帯域に存在するテレビジョン放送信号を受信し、そして、当該受信したテレビジョン放送信号を変調して信号処理部６４に出力する。
【００４０】
信号処理部６４は、制御部６８から入力される制御信号に従って、例えば、切替部６２から入力された外部入力情報又はチューナ６３から入力されたテレビジョン放送信号に所定の処理を施して、当該外部入力情報又はテレビジョン放送信号から、映像データと、音声データと、などを分離し、当該映像データをデコードして出力部６５が有する映像出力部６５１に出力するとともに、当該音声データをデコードして出力部６５が有する音声出力部６５２に出力する。
【００４１】
映像出力部６５１は、例えば、液晶表示機器などであり、信号処理部６４から出力された映像データに基づく映像を出力する。
【００４２】
音声出力部６５２は、例えば、スピーカ機器などであり、信号処理部６４から出力された音声データに基づく音声を出力する。
【００４３】
マイク６６は、例えば、取得手段として、受光装置４のブザー４５により出力された音情報を取得し、そして、当該取得した音情報を電気信号に変換して、制御部６８に出力する。
【００４４】
リモコンコード受信部６７は、例えば、リモートコントローラ２のリモコンコード送信部２７により送信されたリモコンコードを受信して、制御部６８に出力する。
【００４５】
制御部６８は、例えば、図４に示すように、ＣＰＵ（Central Processing Unit）６８１と、ＲＡＭ（Random Access Memory）６８２と、記憶部６８３と、などを備えて構成される。
【００４６】
ＣＰＵ６８１は、例えば、記憶部６８３に記憶されたテレビジョン受像機６用の各種処理プログラムに従って各種の制御動作を行う。
【００４７】
ＲＡＭ６８２は、例えば、ＣＰＵ６８１によって実行される処理プログラムなどを展開するためのプログラム格納領域や、入力データや上記処理プログラムが実行される際に生じる処理結果などを格納するデータ格納領域などを備える。
【００４８】
記憶部６８３は、例えば、テレビジョン受像機６で実行可能なシステムプログラム、当該システムプログラムで実行可能な各種処理プログラム、これら各種処理プログラムを実行する際に使用されるデータ、ＣＰＵ６８１によって演算処理された処理結果のデータなどを記憶する。なお、プログラムは、コンピュータが読み取り可能なプログラムコードの形で記憶部６８３に記憶されている。
【００４９】
具体的には、記憶部６８３は、例えば、図４に示すように、テレビジョン放送出力制御プログラム６８３１と、切替制御プログラム６８３２と、外部入力情報出力制御プログラム６８３３と、などを記憶している。
【００５０】
テレビジョン放送出力制御プログラム６８３１は、例えば、チューナ６３と、信号処理部６４と、などに制御信号を出力して、テレビジョン放送信号に基づく映像及び音声を、それぞれ映像出力部６５１及び音声出力部６５２から出力させる機能を、ＣＰＵ６８１に実現させる。
具体的には、ＣＰＵ６８１は、例えば、ユーザによるリモートコントローラ２の遠隔操作用操作部２４の操作によってユーザ所望のチャンネルが指定された場合等に、テレビジョン放送信号に基づく映像及び音声を出力させる。
【００５１】
切替制御プログラム６８３２は、例えば、切替部６２に制御信号を出力して、複数の外部入力端子６１…のうちの、マイク６６により取得された音情報によって識別される外部入力端子６１に切り替えさせる機能を、ＣＰＵ６８１に実現させる。
【００５２】
外部入力情報出力制御プログラム６８３３は、例えば、信号処理部６４などに制御信号を出力して、切替部６２を介して外部装置Ｅから入力される外部入力情報に基づく映像及び音声を、それぞれ映像出力部６５１及び音声出力部６５２から出力させる機能を、ＣＰＵ６８１に実現させる。
具体的には、ＣＰＵ６８１は、例えば、マイク６６により音情報が取得された場合等に、外部入力情報に基づく映像及び音声を出力させる。
【００５３】
＜外部入力切替処理＞
次に、外部入力切替システム１によるテレビジョン受像機６の外部入力切替に関する処理について、図５〜図７のフローチャートを参照して説明する。
具体的には、例えば、図５は、リモートコントローラ２の処理であり、図６は、受光装置４の処理であり、図７は、テレビジョン受像機６の処理である。
【００５４】
［リモートコントローラの処理］
例えば、図５に示すように、ユーザにより発光用操作部２１が操作されると（ステップＳ２１）、発光素子制御回路２２は、発光素子２３にレーザ光を発光させ（ステップＳ２２）、本処理を終了する。
【００５５】
［受光装置の処理］
例えば、図６に示すように、受光素子４１が光を受光すると（ステップＳ４１）、受光判別回路４２は、当該受光された光が、リモートコントローラ２の発光素子２３により発光されたレーザ光であるか否かを判別する（ステップＳ４２）。
【００５６】
ステップＳ４２で、受光判別回路４２は、当該受光された光が、リモートコントローラ２の発光素子２３により発光されたレーザ光でないと判別すると（ステップＳ４２；Ｎｏ）、本処理を終了する。
【００５７】
一方、ステップＳ４２で、受光判別回路４２によって、当該受光された光が、リモートコントローラ２の発光素子２３により発光されたレーザ光であると判別されると（ステップＳ４２；Ｙｅｓ）、受光時間判別回路４３は、発光素子２３により発光されたレーザ光が受光素子４１により受光された時間（受光時間）が、予め設定された所定時間を上回ったか否かを判別する（ステップＳ４３）。
【００５８】
ステップＳ４３で、受光時間判別回路４３は、受光時間が、予め設定された所定時間を上回っていないと判別すると（ステップＳ４３；Ｎｏ）、本処理を終了する。
【００５９】
一方、ステップＳ４３で、受光時間判別回路４３によって、受光時間が、予め設定された所定時間を上回ったと判別されると（ステップＳ４３；Ｙｅｓ）、ブザー制御回路４４は、ブザー４５に音情報を出力させ（ステップＳ４４）、本処理を終了する。
【００６０】
［テレビジョン受像機の処理］
例えば、図７に示すように、マイク６６が音情報を取得すると（ステップＳ６１）、ＣＰＵ６８１は、切替制御プログラム６８３２を実行して、切替部６２に当該取得された音情報によって識別される外部入力端子６１に切り替えさせ（ステップＳ６２）、本処理を終了する。
そして、マイク６６が音情報（例えば、第１外部入力端子６１ａを識別するための音情報）を取得した時点で、テレビジョン放送信号に基づく映像及び音声が出力されていた場合は、ＣＰＵ６８１は、外部入力情報出力制御プログラム６８３３を実行して、切替部６２を介して第１外部装置Ｅａから入力される外部入力情報に基づく映像及び音声を出力させる。
一方、マイク６６が音情報（例えば、第１外部入力端子６１ａを識別するための音情報）を取得した時点で、切替部６２を介して第２外部装置Ｅｂ又は第３外部装置Ｅｃから入力される外部入力情報に基づく映像及び音声が出力されていた場合は、ＣＰＵ６８１は、外部入力情報出力制御プログラム６８３３を実行して、切替部６２を介して第１外部装置Ｅａから入力される外部入力情報に基づく映像及び音声を出力させる。
【００６１】
以上説明した本発明の外部入力切替システム１によれば、テレビジョン受像機６を遠隔操作するためのリモートコントローラ２と、複数の外部装置Ｅ…のそれぞれに取り付けられた複数の受光装置４…と、を備え、複数の外部装置Ｅ…を接続するテレビジョン受像機６の外部入力切替を行うことができる。具体的には、テレビジョン受像機６は、複数の外部装置Ｅ…のそれぞれを接続する複数の外部入力端子６１…を備え、受光装置４は、外部入力端子６１に対応付けられており、当該受光装置４に対応する外部入力端子６１に接続された外部装置Ｅに取り付けられ、リモートコントローラ２は、指向性があるレーザ光を発光する発光素子２３と、ユーザが、発光素子２３にレーザ光を発光させる際に操作するための発光用操作部２１と、を備え、受光装置４は、発光素子２３により発光されたレーザ光を受光する受光素子４１及び受光判別回路４２と、発光素子２３により発光されたレーザ光が受光素子４１及び受光判別回路４２により受光された場合に、受光装置４に対応する外部入力端子６１を識別するための音情報を出力するブザー４５と、を備え、テレビジョン受像機６は、ブザー４５により出力された音情報を取得するマイク６６と、複数の外部入力端子６１…のうちの、マイク６６により取得された音情報によって識別される外部入力端子６１に切り替える切替部６２と、を備えている。
したがって、ユーザが所望の外部装置Ｅに取り付けられた受光装置４に対してリモートコントローラ２を向けて発光用操作部２１を操作すると、テレビジョン受像機６は、当該所望の外部装置Ｅを切り替え先として外部入力を切り替えるため、簡易な操作で確実にテレビジョン受像機６の外部入力切替を行うことができる。
【００６２】
また、発光素子２３により発光されるレーザ光は、当該レーザ光の照射位置が可視されるようになっている。
したがって、ユーザは、所望の外部装置Ｅに取り付けられた受光装置４に向かって、レーザ光が進んでいるか否かを明確に認識できることとなって、使い勝手がよい。
【００６３】
また、ブザー４５は、外部入力端子６１を識別するための音情報を出力する。
すなわち、ユーザが所望の外部装置Ｅに取り付けられた受光装置４に対してリモートコントローラ２を向けて発光用操作部２１を操作すると、その受光装置４が音情報を出力するため、ユーザは、その受光装置４がレーザ光を受光したか否か、当該所望の外部装置Ｅを切り替え先として外部入力が切り替わるか否か、を明確に認識することができる。
さらに、受光装置４が音情報を出力すると、テレビジョン受像機６は外部入力を切り替えるため、すなわち、受光装置４とテレビジョン受像機６との間の情報のやり取りを無線で行えるため、外部入力切替システム１のケーブルが少なくて済む。
【００６４】
また、受光装置４は、発光素子２３により発光されたレーザ光が受光素子４１により受光された時間が、予め設定された所定時間を上回ったか否かを判別する受光時間判別回路４３を備え、ブザー４５は、受光時間判別回路４３によって、発光素子２３により発光されたレーザ光が受光素子４１により受光された時間が、予め設定された所定時間を上回ったと判別された場合に、音情報を出力する。
すなわち、受光装置４は、レーザ光が受光装置４を横切った場合等には音情報を出力せず、ユーザが明らかにレーザ光で受光装置４を指した場合にのみ音情報を出力するため、無駄に外部入力が切り替わることがなく、効率的である。
【００６５】
なお、本発明は、上記した実施の形態のものに限るものではなく、その要旨を逸脱しない範囲で適宜変更可能である。
【００６６】
電子機器は、テレビジョン受像機６に限ることはなく、複数の外部装置Ｅ…を接続することができる電子機器であれば任意である。
【００６７】
リモートコントローラ２から発光される光は、レーザ光に限ることはなく、リモートコントローラ２と受光装置４との間の通信に使用できる光であれば任意であり、例えば、赤外光等であってもよい。
リモートコントローラ２から発光される光が、レーザ光以外の光（例えば、赤外光）である場合は、レンズで集光させることによって、指向性を持たせるよう構成したり、照射位置が可視されるよう構成したりするとよい。また、リモートコントローラ２から発光される光が、レーザ光以外の光（例えば、赤外光）である場合は、受光装置４に反射板を取り付けて、レーザ光よりも弱い光であっても照射位置が可視されるよう構成してもよい。
【００６８】
受光装置４が出力する識別情報は、音情報に限ることはなく、当該受光装置４に対応する外部入力端子６１を識別することができる情報であれば任意である。具体的には、例えば、受光装置４とテレビジョン受像機６とを無線通信又は有線通信できるよう構成して、識別情報を通信するようにしてもよい。
【００６９】
識別情報が音情報でない場合は、リモートコントローラ２からのレーザ光を受光すると、受光装置４がレーザ光を受光したことをユーザに認識させることができるように、受光装置４を構成してもよい。具体的には、例えば、リモートコントローラ２からのレーザ光を受光すると、ＬＥＤ（Light Emitting Diode）を点滅させるよう受光装置４を構成してもよい。
識別情報が音情報でない場合であって、リモートコントローラ２からの光を受光すると、受光装置４が光を受光したことをユーザに明確に認識させることができるよう、受光装置４を構成する場合は、リモートコントローラ２からの光が、照射位置を可視できない光であっても、ユーザは、所望の外部装置Ｅに取り付けられた受光装置４に向かって、光が進んでいるか否かを明確に認識することができることとなって、使い勝手がよい。
【図面の簡単な説明】
【００７０】
【図１】本発明の外部入力切替システムの構成を示すブロック図である。
【図２】図１のテレビジョン受像機用のリモートコントローラの機能的構成を示すブロック図である。
【図３】図１の受光装置の機能的構成を示すブロック図である。
【図４】図１のテレビジョン受像機の機能的構成を示すブロック図である。
【図５】本発明の外部入力切替システムによるテレビジョン受像機の外部入力切替に関する処理のうちの、リモートコントローラの処理について説明するためのフローチャートである。
【図６】本発明の外部入力切替システムによるテレビジョン受像機の外部入力切替に関する処理のうちの、受光装置の処理について説明するためのフローチャートである。
【図７】本発明の外部入力切替システムによるテレビジョン受像機の外部入力切替に関する処理のうちの、テレビジョン受像機の処理について説明するためのフローチャートである。
【符号の説明】
【００７１】
１  外部入力切替システム
２  リモートコントローラ
４  受光装置
６  テレビジョン受像機（電子機器）
２１  発光用操作部（操作手段）
２３  発光素子（発光手段）
４１  受光素子（受光手段）
４２  受光判別回路（受光手段）
４３  受光時間判別回路（判別手段）
４５  ブザー（出力手段）
６１  外部入力端子（外部入力手段）
６２  切替部（切替手段）
６６  マイク（取得手段）
Ｅ  外部装置
【図１】
2008271229.tif 000003
【図２】
2008271229.tif 000004
【図３】
2008271229.tif 000005
【図４】
2008271229.tif 000006
【図５】
2008271229.tif 000007
【図６】
2008271229.tif 000008
【図７】
2008271229.tif 000009